(57)【特許請求の範囲】
【請求項１】
人が居住し湿度調節の対象となる調湿対象空間の湿度調節を行なう調湿装置であって、
空気中から水分を除去して除湿する除湿部（３）と、
水タンク（４０）を有し、前記水タンク（４０）から供給される水を蒸発させて加湿する加湿部（４）と、
前記調湿対象空間の湿度を検知する湿度センサー（２６）と、
前記除湿部（３）を稼働させる除湿運転、及び前記加湿部（４）を稼動させる加湿運転、を行わせる制御部（６）と、
を備え、
前記制御部（６）は、所定の条件下で、前記加湿運転によって水分を前記調湿対象空間に拡散させた後、前記除湿運転に切り換えて前記調湿対象空間を除湿し乾燥させる動作を複数回繰り返すクリーン運転モードを実行し、
さらに、前記制御部（６）は、
前記湿度センサー（２７）を介して前記調湿対象空間が高湿度となったと判定したとき前記クリーン運転モードにおける前記加湿運転から前記除湿運転へ切り換え、
前記湿度センサー（２７）を介して前記調湿対象空間が乾燥したと判定したとき前記除湿運転から前記加湿運転へ切り換える、
調湿装置（１）。
【請求項２】
前記制御部（６）は、
前記湿度センサー（２７）を介して前記調湿対象空間が高湿度となったと判定したとき或いは前記加湿運転開始から所定時間が経過したとき前記クリーン運転モードにおける前記加湿運転から前記除湿運転へ切り換え、
前記湿度センサー（２７）を介して前記調湿対象空間が乾燥したと判定したとき或いは前記除湿運転開始から所定時間が経過したとき前記除湿運転から前記加湿運転へ切り換える、
請求項１に記載の調湿装置（１）。
【請求項３】
前記調湿対象空間の人の有無を検知する人体検知センサー（２８）をさらに備え、
前記制御部（６）は、前記人体検知センサー（２８）を介して人が居ないと判定したとき、前記クリーン運転モードを実行する、
請求項１に記載の調湿装置（１）。
【請求項４】
前記調湿対象空間の照度を検知する照度センサー（２９）をさらに備え、
前記制御部（６）は、前記照度センサー（２９）を介して人が居ないと判定したとき、前記クリーン運転モードを実行する、
請求項１に記載の調湿装置（１）。
【発明の詳細な説明】
【技術分野】
【０００１】
本発明は、除湿機能および加湿機能を有する調湿装置に関する。
【背景技術】
【０００２】
従来、除湿機能と加湿機能とを一台に持たせた調湿装置の代表的なものとしては、例えば、特許文献１（特開平４−１５２４０８号公報）、特許文献２（特開平６−３０７６７７号公報）及び特許文献３（特開平１１−２４１８３８号公報）に開示されているような、蒸気圧縮式冷凍サイクルを利用した調湿装置、および吸着素子を利用した調湿装置が挙げられる。
【０００３】
特許文献１に記載の調湿装置は、除湿運転時は蒸発器で空気中の水分を結露させて除湿し、加湿運転時は超音波加湿器で加湿を行う。特許文献２に記載の調湿装置は、除湿運転時は蒸発器で空気中の水分を結露させて除湿し、加湿運転時は貯水タンクの水を加熱して加湿している。また、特許文献３に記載の調湿装置は、回転する円板状の吸着素子を有しており、除湿運転時はその吸着素子に空気中の水分を吸着させて除湿し、加湿運転時はその吸着素子に温風を当て水分を放出させて加湿している。
【発明の概要】
【発明が解決しようとする課題】
【０００４】
しかしながら、特許文献１、特許文献２及び特許文献３に記載の調湿装置は、調湿対象空間の湿度を設定湿度に維持することはできるが、湿度制御によって調湿対象空間を積極的に清浄することはない。
【０００５】
本発明の課題は、湿度制御によって調湿対象空間を清浄する調湿装置を提供することにある。
【課題を解決するための手段】
【０００６】
第１発明に係る調湿装置は、人が居住し湿度調節の対象となる調湿対象空間の湿度調節を行なう調湿装置であって、除湿部と、加湿部と、湿度センサーと、制御部とを備えている。除湿部は空気中から水分を除去して除湿し、加湿部は、水タンクを有し、その水タンクから供給される水を蒸発させて加湿する。湿度センサーは、調湿対象空間の湿度を検知する。制御部は、除湿部を稼働させる除湿運転、及び加湿部を稼動させる加湿運転を行わせる。また、制御部は、所定の条件下で、加湿運転によって水分を調湿対象空間に拡散させた後、除湿運転に切り換えて調湿対象空間を除湿し乾燥させる動作を複数回繰り返すクリーン運転モードを実行する。さらに、制御部は、湿度センサーを介して調湿対象空間が高湿度となったと判定したときクリーン運転モードにおける加湿運転から前記除湿運転へ切り換える。また、制御部は、湿度センサーを介して調湿対象空間が乾燥したと判定したとき除湿運転から加湿運転へ切り換える。
【０００７】
この調湿装置では、加湿時に水分子が調湿対象空間の匂い成分（例えば、部屋の壁紙やカーテン及び衣類に付着した匂い成分）を捕獲し、除湿時にその匂い成分を捕獲した水分子が除湿によって回収され廃棄される。また、高湿度から除湿するので、カビや細菌をドライショックによって死滅させることができる。
【０００８】
第２発明に係る調湿装置は、第１発明に係る調湿装置であって、制御部が、湿度センサーを介して調湿対象空間が高湿度となったと判定したとき或いは加湿運転開始から所定時間が経過したときクリーン運転モードにおける加湿運転から除湿運転へ切り換える。また、制御部は、湿度センサーを介して調湿対象空間が乾燥したと判定したとき或いは除湿運転開始から所定時間が経過したとき除湿運転から加湿運転へ切り換える。
【０００９】
第３発明に係る調湿装置は、第１発明に係る調湿装置であって、調湿対象空間の人の有無を検知する人体検知センサーをさらに備えている。制御部は、人体検知センサーを介して人が居ないと判定したとき、クリーン運転モードを実行する。
【００１０】
この調湿装置では、制御部は、調湿対象空間の人の有無を人体検知センサーで監視して、人が居る間はクリーン運転モードを実行しないので、運転の切り換わりによる不快感を人に与えることが防止される。
【００１１】
第４発明に係る調湿装置は、第１発明に係る調湿装置であって、調湿対象空間の照度を検知する照度センサーをさらに備えている。制御部は、照度センサーを介して人が居ないと判定したとき、クリーン運転モードを実行する。
【００１２】
この調湿装置では、制御部は、調湿対象空間の人の有無を照度センサーで監視して、人が居て照明が使用されている間は、クリーン運転モードを実行しないので、運転の切り換わりによる不快感を人に与えることが防止される。
【発明の効果】
【００１３】
第１発明または第２発明に係る調湿装置では、加湿時に水分子が調湿対象空間の匂い成分を捕獲し、除湿時にその匂い成分を捕獲した水分子が除湿によって回収され廃棄される。また、高湿度から除湿するので、カビや細菌をドライショックによって死滅させることができる。
【００１４】
第３発明または第４発明に係る調湿装置では、人が居る間はクリーン運転モードを実行しないので、運転の切り換わりによる不快感を人に与えることが防止される。
【図面の簡単な説明】
【００１５】
【図１】本発明の一実施形態に係る調湿装置の斜視図。
【図２】同調湿装置の本体上部の斜視図。
【図３】調湿装置から空気清浄ユニットを取り外した状態の斜視図。
【図４】除湿ユニットの斜視図。
【図５】除湿ユニットをヒータ側から視た正面図。
【図６】調湿装置から水タンクと気化素子とを引き出した状態の斜視図。
【図７】加湿ユニットの斜視図。
【図８】図６の空気流れの下流側から視た加湿ユニットの斜視図。
【図９】操作パネルの斜視図。
【図１０】ハウスキープ運転の制御フロー。
【図１１】ハウスキープの運転イメージを示すグラフ。
【図１２】クリーン運転モードの制御フロー。
【発明を実施するための形態】
【００１６】
以下図面を参照しながら、本発明の実施形態について説明する。なお、以下の実施形態は、本発明の具体例であって、本発明の技術的範囲を限定するものではない。
【００１７】
＜調湿装置の構成＞
本発明に係る調湿装置は、空気清浄機能、除湿機能及び加湿機能を有しており、除湿運転時は除湿空気清浄装置として、加湿運転時は加湿空気清浄装置として稼働する。また、単に空気清浄装置として稼働することもできる。
【００１８】
図１は、本発明の一実施形態に係る調湿装置の斜視図である。図１において、調湿装置１では、空気清浄ユニット２、除湿ユニット３、加湿ユニット４、送風機５及び制御部６が、本体１０に収納されている。本実施形態では、ユーザーが容易に調湿装置１を移動させることができるように、本体１０の側面上部には取っ手７が設けられ、本体１０の下面（室内の床面と対向する面）に、キャスター８（図３参照）が設けられている。
【００１９】
送風機５は、本体１０に対して空気清浄ユニット２と反対側に位置しており、空気清浄ユニット２側から視たとき、空気清浄ユニット２、除湿ユニット３、加湿ユニット４、送風機５の順で並んでいる。送風機５が稼働しているとき、空気が空気清浄ユニット２側から吸い込まれて、除湿ユニット３を通過した後に加湿ユニット４を通過し送風機５に至る空気風路Ａが形成される。
【００２０】
図２は、調湿装置の本体上部の斜視図である。図２において、本体１０の上部には吹出口１１が設けられており、空気流路Ａを経て浄化され調湿された空気は吹出口１１から吹き出される。空気の吹き出し方向は、吹出口１１の開口部に設置されたルーバー１２によって変更することができる。
【００２１】
ルーバー１２は、仕切羽根１２０と、第１風向調整羽根１２１と、第２風向調整羽根１２２とを有している。仕切羽根１２０は、吹出口１１を、第１の吹出空気が通過する領域と第２の吹出空気が通過する領域とに仕切る。第１風向調整羽根１２１は、第１の吹出空気を第１方向に向かわせ、第２風向調整羽根１２２は、第１の吹出空気を第２方向に向かわせる。第１風向調整羽根１２１及び第２風向調整羽根１２２は、仕切羽根１２０と交差し、且つ鉛直方向に対して傾斜自在に仕切羽根１２０に支持されている。ルーバー１２は、モータ駆動であり、図１では、ルーバー１２が閉じた状態であるが、運転を開始するとモータ駆動によって自動的に真上に開く。
【００２２】
さらに、本体１０の上部には操作パネル６０（図１参照）が設けられており、カバー１３によって保護されている。その操作パネル６０の下方に制御部６（図１参照）が位置しており、操作パネル６０から入力される信号に基づいて、空気清浄ユニット２、除湿ユニット３、加湿ユニット４、送風機５及びルーバー１２が制御される。運転モードは、操作パネル６０上の運転切換ボタンによって切り替えられる。
【００２３】
＜空気清浄ユニット２＞
図３は、調湿装置から空気清浄ユニットを取り外した斜視図である。図３において、空気清浄ユニット２は、カバー２１と、フィルタ２２と、脱臭触媒２３と、ホコリセンサー２４と、ニオイセンサー２５とを有している。フィルタ２２と脱臭触媒２３は、本体１０に設けられた収納部２０に脱着可能に収納されており、脱臭触媒２３がフィルタ２２の空気流下流側に位置する。
【００２４】
フィルタ２２内部には、空気流上流側から順に、プレフィルタと、ホコリをプラスに帯電させるイオン化部と、マイナスに帯電したプリーツフィルタとが並んで配置されている。空気中のホコリは、プレフィルタで取り除かれ、プレフィルタで取りきれなかった小さなホコリは、イオン化部でプラスに帯電され、マイナスに帯電したプリーツフィルタに吸着される。
【００２５】
脱臭触媒２３は、フィルタ２２を通過してきた空気から臭いや有害ガスを吸着し、分解する。ホコリセンサー２４は、本体１０の側面上部に設けられ、ニオイセンサー２５は、収納部２０の上方に設けられている。
【００２６】
＜除湿ユニット３＞
図４は、除湿ユニットの斜視図である。図４において、除湿ユニット３は、吸着素子３１、ヒータ３２、再生ファン３３、送風管３４及び熱交換部３５を有している。吸着素子３１は、ハニカム構造体であり、ゼオライト粉末、バインダー及び膨張剤を混合して練り上げた材料によって円板状で多孔質に成形されている。バインダーは、例えば、変性ＰＰＥ、ポリプロピレン、ポリスチレン、ＡＢＳ樹脂などの熱可塑性樹脂から選択される。膨張剤は、ハニカム構造体の成形時に膨張し無数の気泡を形成する。このため、吸着素子３１は、水分に対して高い吸着性を有している。
【００２７】
ヒータ３２は、空気流路Ａに対して吸着素子３１の下流側の側面と対向する場所に配置されており、吸着素子３１の側面の６分の１程度を覆うことができる扇形の取付部材によって取り付けられている。
【００２８】
再生ファン３３は、吸着素子３１の吸着性能を再生させる送風機であり、吸着素子３１の上方から空気流路Ａに対して吸着素子３１の下流側へ突出するように取り付けられている。ヒータ３２と再生ファン３３とは空気の流通ができるように第１送風管３４ａによって連絡されている。再生ファン３３の稼働によって発生する空気は、第１送風管３４ａを通ってヒータ３２に至り、そこで加熱されて高温空気となる。
【００２９】
送風管３４は、第１送風管３４ａ、第２送風管３４ｂ、第３送風管３４ｃ及び第４送風管３４ｄから成る。ヒータ３２によって加熱された高温空気は、対向する吸着素子３１の側面から吸着素子３１の厚み方向に沿って進み、反対側の側面から出てくる。吸着素子３１の高温空気が通過した領域は、高温空気に加熱されて水分を高温空気へ放出する。
【００３０】
吸着素子３１を通過した高温空気は、高温高湿空気となって第２送風管３４ｂに入る。第２送風管３４ｂは、吸着素子３１を通過してきた高温高湿空気を完全に回収できるように、空気流路Ａに対して吸着素子３１の上流側の側面を覆うように配置されている。第２送風管３４ｂは、外形が扇形であって、側面の６分の１程度を覆っている。
【００３１】
第３送風管３４ｃは、第２送風管３４ｂから流れてくる高温高湿空気を、吸着素子３１の径方向外側の外周に沿って流す。第３送風管３４ｃには、空気流路Ａと同じ方向に貫通する複数の長孔３５ａが設けられており、空気流路Ａを流れる空気がその長孔３５ａを通過する。第３送風管３４ｃを流れる高温高湿空気は、長孔３５ａの壁面に接触しながら流れているので、長孔３５ａを通過する空気は、高温高湿空気から熱量を奪う。このため、長孔３５ａの壁面に接触した高温高湿空気は冷却され、長孔３５ａの壁面は結露する。結露水は、所定の出口を通過して後述の水タンク４０へ入る。
【００３２】
第４送風管３４ｄは、第３送風管３４ｃと再生ファン３３とを連絡している。第３送風管３４ｃを流れる高温高湿空気は、複数の長孔３５ａの壁面に接触して熱量と水分を奪われた後に、第４送風管３４ｄを通って再生ファン３３に吸い込まれる。
【００３３】
長孔３５ａは、吸着素子３１の径方向外側を囲むように設けられており、複数の長孔３５ａが熱交換部３５を形成している。除湿ユニット３は、厚み方向の寸法がほぼ同じ値に設定された平坦領域３ａが形成されており、第３送風管３４ｃと熱交換部３５とは、この平坦領域３ａに含まれる。
【００３４】
図５は、除湿ユニットをヒータ側から視た正面図である。図５において、除湿ユニット３は、駆動モータ３６をさらに有している。駆動モータ３６は、ピニオン歯車３６１を有しており、吸着素子３１の外周には、ピニオン歯車３６１と噛み合う従動歯車３１１が設けられている。駆動モータ３６が稼働している間、吸着素子３１は回転しており、空気流路Ａを通過する空気と接触して水分を吸着し、ヒータ３２と対向する位置でその水分を放出し、再び空気流路Ａを通過する空気と接触する。このため、吸着素子３１は、水分の吸着と放出を繰り返すことができる。
【００３５】
＜加湿ユニット４＞
図６は、調湿装置の本体から水タンクと気化素子とを引き出した状態の斜視図であり、図７は、加湿ユニットの斜視図である。図６、図７において、加湿ユニット４は、水タンク４０、気化素子４１、水車４２及び駆動部４３を有している。水タンク４０は、空気流路Ａを通る空気に与える水分の水源であり、本体１０に脱着可能に収納されている。水タンク４０内の水が不足している場合は、ユーザーによって本体１０の引き出し口から引き出されて、水が補充される。なお、本実施形態の調湿装置においては、除湿運転時に除湿ユニット３で捕獲された水を水タンク４０に貯めており、加湿運転時には廃棄しているが、再利用して水の補充の回数を低減することも可能である。
【００３６】
気化素子４１は、不織布で円板状に成形され、回転することによって水タンク４０から送られてくる水を蒸発させる気化部材である。気化素子４１は外周に第１歯車４１１を有しており、第１歯車４１１は駆動部４３によって回転する。気化素子４１は、水タンク４０の満水時の水位よりも上方に配置されているので、水タンク４０内の水とは直接接触していない。
【００３７】
水量センサー４４は、水タンク４０の水量を検知するセンサーであり、水タンク４０の満水状態及び渇水状態を未然に防止するために設けられている。なお、水量センサー４４は、フロートスイッチで代用することができる。
【００３８】
図８は、図７の空気流れの下流側から視た加湿ユニットの斜視図である。図８において、水車４２は、水タンク４０に回転可能に支持されており、水タンク４０内の水を汲み上げて気化素子４１に向って放出する。加湿ユニット４の厚み方向の寸法を小さくするため、気化素子４１と水車４２は、回転の軸を並行にし、互いに近接して対向している。
【００３９】
したがって、水車４２は側面で水を汲み上げ側面から気化素子４１の側面に向って放出する必要があり、水車４２の側面の外周近傍には、台形上の開口を有する複数の凹部４２１ａが設けられている。
【００４０】
水車４２は、回転することによって、凹部４２１ａが順番に水タンク４０の水中を通過して上昇してくる。凹部４２１ａが浸水したとき、内部へ水が入るので、水中から出てきた凹部４２１ａの内部は水で満たされている。
【００４１】
凹部４２１ａが最上位置に近づくにしたがって、凹部４２１ａ内の水は徐々に流出し、最上位置を通過したときにほぼ全ての水が流出する。水は、流出する際に重力によってある程度の勢いが付加されているので、凹部４２１ａと近接している気化素子４１の側面に向って流出する。
【００４２】
図８において、水車４２の回転軸は、水タンク４０の軸受４０ａに回転可能に支持されており、水タンク４０の底面から軸受４０ａの軸芯までの高さは、水車４２が配置されたときに水タンク４０が最低水位のときであっても、水車４２の最下位置にある凹部４２１ａが水没するように設定されている。
【００４３】
また、軸受４０ａは、上半分が開いているので、水タンク４０が本体１０から引き出されたときに、ユーザーは水車４２を水タンク４０から取り出して洗浄することができる。
【００４４】
水タンク４０は、引き出し式の第１扉１０ａを引き出すことによって本体１０の引き出し口１４から取り出すことができ、気化素子４１は、回転式の第２扉１０ｂを開けることによって、本体１０の引き出し口１５から取り出すことができる。これによって、ユーザーは、水タンク４０を取り出して、水の補給および水車４２の洗浄を行うことができ、気化素子４１を取り出して交換することもできる。
【００４５】
なお、水タンク４０内の水の過不足は、第１扉１０ａに設けられた窓部１０ｃから目視によって確認することができる。本実施形態では、窓部１０ｃは矩形状の孔であり、この孔に水タンク４０に予め形成されている凸部４０ｃ（図８参照）が嵌合している。ユーザーは、窓部１０ｃの孔から凸部４０ｃに映る水位を目視することができる。
【００４６】
図６、図７、図８で示すように、気化素子４１は、本体１０からの取り出しを容易にするために、回転軸を突出させない形状に成形されている。このため、気化素子４１は、第１歯車４１１が駆動歯車４３１及び第２歯車４２３と噛み合うことによって支持されている。第１歯車４１１が、安定した姿勢を維持するために、駆動歯車４３１及び第２歯車４２３は、第１歯車４１１の回転軸よりも下方に位置し、且つ気化素子４１の鉛直中心線に対して互いに反対側に位置している。このため、気化素子４１は、軸支持されていなくても、安定して回転することができ、本体１０から取り出されるときには、突出する軸がないので、本体１０内部に引っ掛かることなく容易に取り出される。
【００４７】
＜操作パネル６０＞
図９は、操作パネルの斜視図である。図９において、操作パネル６０上には、運転入／切ボタン６１、運転切換ボタン６２、風量選択ボタン６３、湿度選択ボタン６４、コース選択ボタン６５、タイマー選択ボタン６６、オートルーバーボタン６７、及びおすすめボタン６８が設けられており、各ボタンを押すことによって、押されたボタンに対応した信号が、操作パネル６０の下方に配置された制御部６に入力される。なお、制御部６は、マイコンとメモリを内蔵している。
【００４８】
（各ボタンの説明）
運転入／切ボタン６１は、調湿装置１への電源供給をオン・オフするボタンであり、電源プラグをコンセントに差し込んだ後、押されると運転を開始し、再度押されると運転を停止する。
【００４９】
運転切換ボタン６２は、運転モードを選択するボタンであり、「空気清浄」、「加湿」及び「除湿」のいずれか１つを選択することができる。なお、ここで述べる「加湿」とは、空気清浄をしながらの加湿運転であり、設定湿度に達すると、加湿運転を停止するが、空気清浄運転はそのまま行なう。同様に、「除湿」とは、空気清浄をしながらの除湿運転であり、設定湿度に達すると、除湿運転を停止するが、空気清浄運転はそのまま行なう。
【００５０】
風量選択ボタン６３は、風量レベルを選択するボタンであり、「自動」、「しずか」、「標準」、「ターボ」及び「花粉」のいずれか１つを選択することができる。「自動」を選択したときは、空気の汚れに応じて自動的に風量を調節する。「ターボ」を選択したときは、大風量で空気の汚れを素早く取り除く。「花粉」を選択したときは、５分ごとに風量が「標準」と「しずか」に切り換わり、緩やかな気流をおこして、花粉が床に落ちる前に捕獲する。
【００５１】
湿度選択ボタン６４は、湿度レベルを選択するボタンであり、「低め」、「標準」、「高め」及び「連続」のいずれか１つを選択することができる。湿度の目安として、「低め」が４０％、「標準」が５０％、「高め」が６０％である。
【００５２】
コース選択ボタン６５は、季節や居住環境に対応した運転を選択するためのボタンであり、「内部乾燥」、「ハウスキープ」、「ランドリー乾燥」及び「のど・はだ加湿」のいずれか１つを選択することができる。
【００５３】
タイマー選択ボタン６６は、運転時間を設定するボタンであり、１時間、２時間及び４時間のいずれかを１つを選択することができる。タイマー運転中であっても、設置時間を選択することができる。
【００５４】
オートルーバーボタン６７は、ルーバー１２を遥動させるボタンであり、ルーバー１２が遥動しているときに押したときは、そのときの位置で停止する。おすすめボタン６８は、運転内容を自動で選択させるボタンである。
【００５５】
＜操作パネル６０の操作例＞
（おすすめ）
運転入／切ボタン６１を押した後、おすすめボタン６８を押したとき、制御部６が、その時の空気の状態に適した運転を行ない、風量は自動となる。但し、その後、室内の温度・湿度が変わっても運転内容は見直さないので、運転内容を見直す場合は、再度、おすすめボタン６８を押す。
【００５６】
（空気清浄）
運転入／切ボタン６１を押した後、運転切換ボタン６２を押して「空気清浄」を選ぶ。風量は、風量選択ボタン６３で切り換える。
【００５７】
（加湿）
運転入／切ボタン６１を押した後、運転切換ボタン６２を押して「加湿」を選ぶ。風量選択ボタン６３で風量を切り換え、湿度選択ボタン６４で湿度を切り換える。水タンク４０が空になるとブザー音が鳴り、表示部６９上の給水ランプが点灯し、加湿運転を停止するが、空気清浄運転は継続する。
【００５８】
（除湿）
運転入／切ボタン６１を押した後、運転切換ボタン６２を押して「除湿」を選ぶ。風量選択ボタン６３で風量を切り換え、湿度選択ボタン６４で湿度を切り換える。水タンク４０が満水になるとブザー音が鳴り、表示部６９上の満水ランプが点灯し、除湿運転を停止するが、空気清浄運転は継続する。
【００５９】
（内部乾燥）
運転入／切ボタン６１を押した後、コース選択ボタン６５を押して「内部乾燥」を選ぶ。このコースは、約３時間の送風運転を行い、本体１０内部を乾燥させるので、カビの発生を抑えることができる。
【００６０】
（ハウスキープ）
運転入／切ボタン６１を押した後、コース選択ボタン６５を押して「ハウスキープ」を選ぶ。このコースは、加湿運転後に不要になった湿気を取り除くために除湿運転を行うので、結露が発生しやすい冬季に適用することによって、結露の発生を抑制することができる。このコースでは、加湿運転から除湿運転に切り換わる制御が行なわれており、詳細については後で説明する。
【００６１】
（ランドリー乾燥）
運転入／切ボタン６１を押した後、コース選択ボタン６５を押して「ランドリー乾燥」を選ぶ。このコース運転は、約１２時間の大風量と、除湿運転と、オートルーバーの遥動とによって、洗濯物を乾かしながら室内の空気清浄を行なうので、湿度の高い梅雨の季節に適している。
【００６２】
（のど・はだ加湿）
運転入／切ボタン６１を押した後、コース選択ボタン６５を押して「のど・はだ加湿」を選ぶ。このコースは、室温にあわせて、のどや肌に適した湿度に加湿するので、乾燥しやすい冬季に適している。
【００６３】
＜加湿運転から除湿運転に切り換わる制御＞
コース選択ボタン６５で「ハウスキープ」を選択した場合、先ず、加湿運転が開始される。この加湿運転によって、部屋の湿度は、予め設定された湿度に維持されるが、湿度センサー２６の検出値が、所定値に達したとき、自動的に除湿運転に切り換わる。
【００６４】
以下、図面を用いて、制御フローを説明する。図１０は、ハウスキープの制御フローである。図１０において、ハウスキープが選択されると、ステップＳ１では、加湿自動運転が開始される。ステップＳ２では、湿度センサー２６の検出値から部屋の湿度が設定湿度に達しているか否かを判定する。ステップＳ２での判定がＮｏのときは、設定湿度に達するまでステップＳ１の加湿自動運転を継続する。
【００６５】
ステップＳ２での判定がＹｅｓのときは、ステップＳ３に進み、加湿自動運転開始から所定時間（３０分）が経過しているか否かを判定する。本実施形態では、所定時間が３０分間に設定されている。
【００６６】
ステップＳ３での判定がＮｏのときは、ステップＳ５に進み、３０分間が経過するまで空気清浄運転を行う。例えば、加湿自動運転を開始したとき、すでに部屋の湿度が設定湿度以上である場合は、３０分間の空気清浄運転を行う。また、加湿自動運転開始後１５分で設定湿度に達した場合は、残り１５分間は空気清浄運転を行う。
【００６７】
ステップＳ３での判定がＹｅｓのときは、ステップＳ４に進み、除湿自動運転を開始する。
【００６８】
図１１は、ハウスキープの運転イメージを示すグラフである。図１１に示すように、ハウスキープを選択した状態で、使用者が就寝のためにエアコンなどの暖房器具の運転を停止すると、部屋の温度が下がり相対湿度が上昇する。このとき、除湿自動運転に切り換わることによって、部屋内の余剰水分が回収され結露の発生が抑制される。
【００６９】
＜第１変形例＞
上記ハウスキープ制御では、湿度センサー２６の検出値が設定湿度に到達することを、加湿自動運転から除湿自動運転に切り換わる条件としているが、第１変形例では、その条件に加えて、温度センサー２７の検出値が所定温度を下回ったときに、切り換わるようにしている。
【００７０】
これによって、部屋内で鍋料理など、多量の蒸気を生成し一時的に湿度が上昇する状況が生じても、除湿自動運転に切り換わることがない。
【００７１】
＜第２変形例＞
また、人検知センサー２８を使用して、部屋に人がいなくなったと判定したときに、除湿自動運転に切り換えてもよい。即ち、部屋に人が居る間は、加湿自動運転が継続されるので、人の鼻腔粘膜を潤し、ウイルスの感染を防止することができる。
【００７２】
＜第３変形例＞
さらに、照度センサー２９を使用して、部屋に人がいなくなったと判定したときに、除湿自動運転に切り換えてもよい。即ち、部屋に人が居る間は、加湿自動運転が継続されるので、人の鼻腔粘膜を潤し、ウイルスの感染を防止することができる。
【００７３】
＜第４変形例＞
また、上記実施形態では、制御部６は、湿度センサー２６が検知した湿度と、加湿自動運転開始から経過した所定時間とに基づいて、除湿自動運転へ切り換えているが、それに限定されるものではなく、加湿自動運転開始から所定時間が経過したときに除湿自動運転へ切り換えてもよい。例えば、壁に壁紙が使用されている部屋内で加湿自動運転が行なわれている場合、所定時間が経過した後、加湿自動運転から除湿自動運転へ自動的に切り換えられるので、部屋内の余剰水分が自動的に回収され、部屋の壁紙が過度な湿度によって変形、変色することが未然に防止される。
【００７４】
＜第５変形例＞
調湿装置１は、加湿自動運転によって水分を部屋中に拡散させた後、除湿自動運転に切り換えて部屋中を除湿し乾燥させる動作を複数回繰り返すことができる。その運転モードを便宜上、クリーン運転モードと呼ぶ。このクリーン運転モードによって、加湿時に水分子が部屋のカーテンや衣類に付着した匂い成分を捕獲し、除湿時に匂い成分を捕獲した水分子が除湿によって回収され廃棄される。また、高湿度から除湿するので、カビや細菌をドライショックによって死滅させることができる。
【００７５】
図１２は、クリーン運転モードの制御フローである。図１２において、ステップＳ１では、制御部６は、人体検知センサー２８によって、部屋に人が居ないか否かを判定する。ステップＳ１で人が居ないと判定した場合は、ステップＳ２へ進み、加湿自動運転を行う。人が居ると判定した場合は、検知を継続する。
【００７６】
ステップＳ３では、制御部６は、湿度センサー２６によって部屋が高湿度になったか否かを判定する。ステップＳ３で高湿度になったと判定した場合は、ステップＳ４へ進み、除湿自動運転を開始する。高湿度になっていないと判定した場合は、検知を継続する。
【００７７】
ステップＳ５では、制御部６は、湿度センサー２６によって部屋が乾燥したか否かを判定する。ステップＳ５で乾燥したと判定した場合は、ステップＳ６へ進み、加湿自動運転から除湿自動運転へ切り換った回数Ｎを計数する。乾燥していないと判定した場合は、検知を継続する。
【００７８】
ステップＳ７では、制御部６は、回数Ｎが所定回数（３回）に達したか否かを判定する。ステップＳ７で所定回数に達したと判定したときは、運転を停止する。所定回数に到達していないと判定した場合は、ステップＳ２へ戻る。
【００７９】
なお、部屋が高湿度になったか否かを判定する方法としては、湿度センサー２６と加湿運転時間とを併用してもよい。同様に、部屋が乾燥したか否かを判定する方法としては、湿度センサー２６と除湿運転時間とを併用してもよい。
【００８０】
また、部屋に人が居るか否かの判定は、人体検知センサー２８以外のセンサーを用いてもよい、例えば、照度センサー２９を用いて、夜間に照明が消えたとき、人が居なくなったと判定するようにしてもよい。
【００８１】
＜特徴＞
（１）
調湿装置１では、制御部６が、加湿運転から除湿運転への切り換えを、湿度センサー２６の検知結果に基づいて決定するので、加湿運転後、自動的に除湿運転に切り換ることができる。このため、ユーザーが就寝のために暖房機器の運転を停止し部屋の温度が低下し相対湿度が上昇したときは、自動的に除湿運転が開始され、加湿運転後の余剰水分が回収される。また、結露しやすい時期においては、結露の発生を抑制することができる。また、温度センサー２７をさらに備えているので、料理など水蒸気を一時的に多量に発生させるような過渡的多湿状況に対しては、温度センサー２７で監視することによって、除湿運転への切り換えを行なわないようにすることができる。
【００８２】
（２）
調湿装置１では、加湿運転及び除湿運転時に、空気清浄運転が行われているので、空気を常に清浄に維持することができる。また、ユーザーが湿度設定した直後の場合は、ユーザーがその空間にまだ居る可能性が高いので、人の鼻腔粘膜の保護およびウイルス感染防止の観点から、制御部６が、湿度センサー２６の検知結果が除湿運転への切り換えを許可できる値である場合でも、除湿運転への切り換えを所定時間行なわない。また、制御部６は、所定時間内に湿度が設定湿度に到達したときは、加湿運転を止め所定時間に達するまで前記空気清浄運転を行う。
【００８３】
（３）
調湿装置１では、人体検知センサー２８又は照度センサー２９を備えることによって、調湿対象空間の人の有無を人体検知センサー２８又は照度センサーで監視することができるので、人が居る間は、湿度が設定値を超えていても除湿運転への切り換えを行なわず、人の鼻腔粘膜の保護およびウイルス感染防止し、快適性を維持することができる。
【００８４】
一方、余分な湿気、又は結露を防止することを優先する場合には、人体検知センサー２８又は照度センサー２９の検知結果に基づいて、人が居なくなった判定されたと同時に水分回収を行なうことができる。
【００８５】
＜その他＞
上記実施形態、第１変形例、第２変形例、第３変形例、第４変形例および第５変形例で説明した制御は、調湿装置や調湿空気清浄機だけでなく、除湿機能を有する空調機へ適用することができる。具体例として、特開２００４−０６９１７４号公報に開示されているような加湿ユニットを搭載し、且つ除湿機能を有するエアコンに適用することによって、上記実施形態、第１変形例、第２変形例、第３変形例、第４変形例および第５変形例で説明した効果と同様の効果を得ることができる。
【産業上の利用可能性】
【００８６】
以上にように、本発明によれば、空気清浄を行いながら加湿又は除湿を行ない、且つ居住者の存在を確認しながら加湿運転から除湿運転への切り換えを行なうので、居住者にとって、常に快適な空気が提供される。したがって、除湿機能及び加湿機能を備えた空気調和機に有用である。
【符号の説明】
【００８７】
１  調湿装置
２  空気清浄ユニット（空気清浄部）
３  除湿ユニット（除湿部）
４  加湿ユニット（加湿部）
６  制御部
２６  湿度センサー
２７  温度センサー
２８  人体検知センサー
２９  照度センサー
４０  水タンク（貯水容器）
【先行技術文献】
【特許文献】
【００８８】
【特許文献１】特開平４−１５２４０８号公報
【特許文献２】特開平６−３０７６７７号公報
【特許文献３】特開平１１−２４１８３８号公報
【図１】
0004935874.tif 000002
【図２】
0004935874.tif 000003
【図３】
0004935874.tif 000004
【図４】
0004935874.tif 000005
【図５】
0004935874.tif 000006
【図６】
0004935874.tif 000007
【図７】
0004935874.tif 000008
【図８】
0004935874.tif 000009
【図９】
0004935874.tif 000010
【図１０】
0004935874.tif 000011
【図１１】
0004935874.tif 000012
【図１２】
0004935874.tif 000013